(57)【要約】【課題】外観や外形を仕上げていない安価な筋交いが使用できるようになる木造建築物の筋交い構造を提供する。【解決手段】下部横架材１１に立設され上部横架材を支持する左右の柱１５の間に対角方向で設けられ、横架材３１と柱１５の交わる入隅部１９に端部１７が当接して取り付けられる筋交い２１の端部１７を固定する木造建築物の筋交い構造であって、端部１７に筋交い２１の厚み方向ｄに直交する筋交スリット２５が形成されるとともに、入隅部１９に筋交スリット２５と同一平面状の固定スリット２７が形成され、筋交スリット２５と固定スリット２７に渡って平板状の連結板２９が挿入され、横架材３１、柱１５、及び筋交い２１の外方から打ち込まれた線条固定材３３が連結板２９を貫通する。【選択図】  図２
2011256553.tif 000002
【特許請求の範囲】
【請求項１】
下部横架材に立設され上部横架材を支持する左右の柱の間に対角方向で設けられ、横架材と柱の交わる入隅部に端部が当接して取り付けられる筋交いの該端部を固定する木造建築物の筋交い構造であって、
前記端部に筋交いの厚み方向に直交する筋交スリットが形成されるとともに、前記入隅部に該筋交スリットと同一平面状の固定スリットが形成され、
前記筋交スリットと前記固定スリットに渡って平板状の連結板が挿入され、
前記横架材、前記柱、及び前記筋交いの外方から打ち込まれた線条固定材が前記連結板を貫通することを特徴とする木造建築物の筋交い構造。
【請求項２】
請求項１記載の木造建築物の筋交い構造であって、
少なくとも前記横架材及び前記柱には、前記連結板の輪郭線で外形の一部分が形成されて前記線条固定材の打ち込み位置を示す表示手段の付されたシールが貼られることを特徴とする木造建築物の筋交い構造。
【請求項３】
請求項１又は２記載の木造建築物の筋交い構造であって、
前記連結板が円形状であることを特徴とする木造建築物の筋交い構造。
【請求項４】
請求項１，２，３のいずれか１項に記載の木造建築物の筋交い構造であって、
前記連結板には、前記柱と前記筋交いとの境界位置、及び前記横架材と前記筋交いとの境界位置を示す線状表示手段が付されていること特徴とする木造建築物の筋交い構造。
【発明の詳細な説明】
【技術分野】
【０００１】
本発明は、横架材と柱の交わる入隅部分に筋交いの端部が当接して取り付けられる木造建築物の筋交い構造に関する。
【背景技術】
【０００２】
従来、筋交いを、柱と梁や土台などの横架材とで枠組みされた対角部分に固定する際には、筋交いの端部に金物が使われる。この金物は、例えば特許文献１に開示される箱型の筋交い用連結金具であったり、特許文献２に開示されるプレート状の筋交い用連結金物であったりする。通常、筋交いは、角材であり、平筋交いは横架材の幅長のおよそ半分の厚みに成形され、角筋交いは横架材の幅長と略同一の厚みに成形される。上記金物は、いずれもこれら筋交いの外面に固定する構成である。
【先行技術文献】
【特許文献】
【０００３】
【特許文献１】特開平７−２４７５９９号公報
【特許文献２】特許第３６９１４９３号公報
【発明の概要】
【発明が解決しようとする課題】
【０００４】
従来の木造建築物の筋交い構造は、金物を筋交いの外面に固定する構成であるため、その外面については平面であることが必要となる。筋交いは、素材の外面が曲面であったり、断面が不定形であったりすると、金物の取付が容易ではなく、筋交いとして使うことはできない。そのため、筋交いは、角材とされるのが一般的である。しかし、筋交いは、面材等に覆われて見えなくなる部分であり、外観に意匠性を必要としない。そのため、同等の強度が確保できる材であれば、不定形のもの、間伐材、丸太、或いはほぼ未加工の素材などの安価な材を使用したいという要請がある。
【０００５】
本発明は上記状況に鑑みてなされたもので、その目的は、外観や外形を仕上げていない安価な筋交いが使用できるようになる木造建築物の筋交い構造を提供することにある。
【課題を解決するための手段】
【０００６】
次に、上記の課題を解決するための手段を、実施の形態に対応する図面を参照して説明する。
本発明の請求項１記載の木造建築物の筋交い構造は、下部横架材１１に立設され上部横架材１３を支持する左右の柱１５の間に対角方向で設けられ、横架材３１と柱１５の交わる入隅部１９に端部１７が当接して取り付けられる筋交い２１の該端部１７を固定する木造建築物の筋交い構造であって、
前記端部１７に筋交い２１の厚み方向に直交する筋交スリット２５が形成されるとともに、前記入隅部１９に該筋交スリット２５と同一平面状の固定スリット２７が形成され、
前記筋交スリット２５と前記固定スリット２７に渡って平板状の連結板２９が挿入され、
前記横架材３１、前記柱１５、及び前記筋交い２１の外方から打ち込まれた線条固定材３３が前記連結板２９を貫通することを特徴とする。
【０００７】
この木造建築物の筋交い構造では、筋交い２１の端部１７が入隅部１９に当接されると、端部１７に形成された筋交スリット２５と、入隅部１９に形成された固定スリット２７とが連続した一つの同一平面状となり、この連続スリット部分に連結板２９が挿入されることとなる。挿入された連結板２９には、横架材３１、柱１５、筋交い２１の外方から打ち込まれた線条固定材３３が貫通することで、これら３つの部材が連結板２９を介して一体に固定される。すなわち、筋交い２１の外形状に左右されない（依存しない）固定が可能となる。
【０００８】
請求項２記載の木造建築物の筋交い構造は、請求項１記載の木造建築物の筋交い構造であって、
少なくとも前記横架材３１及び前記柱１５には、前記連結板２９の輪郭線３５で外形の一部分が形成されて前記線条固定材３３の打ち込み位置を示す表示手段３７の付されたシール３９が貼られることを特徴とする。
【０００９】
この木造建築物の筋交い構造では、内部に隠れる連結板２９の位置が、シール３９によって把握可能となり、かつこのシール３９に設けられた表示手段３７の位置に線条固定材３３が打ち込まれることで、線条固定材３３の打ち込み位置が最適となる。
【００１０】
請求項３記載の木造建築物の筋交い構造は、請求項１又は２記載の木造建築物の筋交い構造であって、
前記連結板２９が円形状であることを特徴とする。
【００１１】
この木造建築物の筋交い構造では、連結板２９が円形状であるので、筋交い２１の傾斜角度が変化しても、筋交い２１が、連結板２９の任意の位置の弦方向で固定可能となる。
【００１２】
請求項４記載の木造建築物の筋交い構造は、請求項１，２，３のいずれか１項に記載の木造建築物の筋交い構造であって、
前記連結板２９には、前記柱１５と前記筋交い２１との境界位置、及び前記横架材３１と前記筋交い２１との境界位置を示す線状表示手段４１が付されていること特徴とする。
【００１３】
この木造建築物の筋交い構造では、予め筋交い２１の端部１７に連結板２９が取り付けられる場合、線状表示手段４１を、端部１７の柱当接面１７ａや横架材当接面１７ｂに一致させて、高精度な先行組み付けが行える。
【発明の効果】
【００１４】
本発明に係る請求項１記載の木造建築物の筋交い構造によれば、筋交スリットと固定スリットに挿入した連結板を介して筋交いの端部と入隅部が固定できるので、筋交いの形状についての限定がなくなり、筋交いの外形状、厚みや太さを変えることが可能になる。この結果、丸太のような材の他、整形していない材、間伐材など、外観や外形を仕上げていない安価な筋交いを使用できるようになる。
【００１５】
請求項２記載の木造建築物の筋交い構造によれば、シールを貼ることで、スリット内に入ってしまう連結板の位置がわかり、線条固定具を打つ箇所が容易に確認でき、施工性を向上させることができる。
【００１６】
請求項３記載の木造建築物の筋交い構造によれば、連結板が円形であることで、筋交いの角度が変わっても対応が可能となり、汎用性が向上する。
【００１７】
請求項４記載の木造建築物の筋交い構造によれば、線状表示手段が付されていることで、筋交い、柱、及び横架材と、連結板との相対位置が明確になり、それぞれの部材同士の高精度な位置決めが可能となる。
【図面の簡単な説明】
【００１８】
【図１】本発明に係る木造建築物の筋交い構造を備えた軸組の側面図である。
【図２】図１に示した入隅部の拡大斜視図である。
【図３】（ａ）は連結板と筋交いの分解斜視図、（ｂ）は連結板を組み付けた筋交いと入隅部との分解斜視図である。
【図４】（ａ）はシール貼着前の入隅部の斜視図、（ｂ）シール貼着後の入隅部の斜視図である。
【図５】筋交いに丸太の使用された変形例の斜視図である。
【図６】（ａ）は連結板を後入れする変形例に係る構造の分解斜視図、（ｂ）は連結板の後入れ方法を表す入隅部の側面図である。
【発明を実施するための形態】
【００１９】
以下、本発明の実施の形態を図面を参照して説明する。
図１は本発明に係る木造建築物の筋交い構造を備えた軸組の側面図、図２は図１に示した入隅部の拡大斜視図である。
木造建築物の筋交い構造では、土台となる横架材３１である下部横架材１１に立設され、梁となる横架材３１である上部横架材１３を支持する左右の柱（柱１５ａ、柱１５ｂ）１５の間に、筋交い２１が対角方向で設けられる。筋交い２１は、土台１１と柱１５ａの交わる入隅部（下部入隅部１９ａ）１９と、梁１３と柱１５ｂの交わる入隅部（上部入隅部１９ｂ）１９とに、端部１７が当接して取り付けられる。すなわち、筋交い２１は、端部１７の柱当接面１７ａや横架材当接面１７ｂが入隅部１９に当接する。
【００２０】
筋交い２１の端部１７には、筋交い２１の厚み方向ｄに直交する筋交スリット２５が形成される。筋交スリット２５は、筋交い２１の厚み方向ｄの略中央部に形成される。また、入隅部１９を形成する柱１５と横架材３１には、この筋交スリット２５と同一平面状の固定スリット２７が形成される。この固定スリット２７は、後述するように、横架材３１に柱１５が組み付けられ、入隅部１９が形成された後、現場にて丸鋸によって形成することができる。なお、固定スリット２７は、工場でのプレカット時に形成しても良い。
【００２１】
入隅部１９に、筋交い２１の端部１７が所定位置で配置されると、端部１７の筋交スリット２５と、入隅部１９の固定スリット２７とが同一平面状となって連続する。この筋交スリット２５と固定スリット２７に渡って、平板状の連結板２９が挿入されている。連結板２９は、厚さ１〜２mm程度の鋼板などの金属プレス成形体よりなる。本実施の形態において、連結板２９の挿入は、筋交い２１の端部１７に予め固定された状態で行われる。連結板２９の固定は、工場出荷時、或いは現場における筋交い建て込み前のいずれであってもよい。なお、後述する変形例のように、連結板２９は、筋交い２１を建て込んだ後であっても挿入可能とすることができる。
【００２２】
筋交スリット２５、固定スリット２７に連結板２９が挿入されて、建て込まれた筋交い２１は、横架材３１、柱１５、及び筋交い２１の外方から線条固定材３３が打ち込まれることで、連結板２９を介して入隅部１９に固定される。この際、線条固定材３３は、連結板２９を貫通して打ち込まれる。線条固定材３３は、ビス、木ねじ、タッピングスクリュー、ピン、釘など、木質部分及び鋼板を貫通可能な構成のものである。また、この線条固定材３３は、その長さが柱１５の幅長、或いは厚みよりも短く設定され、本実施の形態では先端が貫通して突出することがない。
【００２３】
柱１５、横架材３１に包囲される図１に示す四角形の空間４３が平行四辺形へ変形した場合には、筋交い２１には軸線４５に沿う方向の圧縮力又は引張力が作用する。上記のように、筋交い２１は、柱当接面１７ａと横架材当接面１７ｂが入隅部１９に当接するので、連結板２９には主に引張力が作用することになる。本構造では、連結板２９に作用する圧縮力を小さくすることで、連結板２９の厚みを薄くすることが可能となっている。
【００２４】
連結板２９は、円形状に形成される。連結板２９が円形状であるので、筋交い２１の傾斜角度θが変化しても、筋交い２１が、連結板２９の任意の位置の弦方向で固定可能となる。これにより、連結板２９は、筋交いの角度が変わっても対応が可能となり、汎用性が向上する。
【００２５】
次に、上記構成を有する筋交い構造の作用を説明する。
図３（ａ）は連結板と筋交いの分解斜視図、（ｂ）は連結板を組み付けた筋交いと入隅部との分解斜視図である。
本実施の形態の木造建築物の筋交い構造では、図３（ａ）に示すように、筋交い２１の筋交スリット２５に、予め連結板２９が取り付けられる。この際、連結板２９には、柱１５と筋交い２１との境界位置、及び横架材３１と筋交い２１との境界位置を示す線状表示手段４１（４１ａ，４１ｂ）が付されている。予め筋交い２１の端部１７に連結板２９が取り付けられる場合、この線状表示手段４１を、端部１７の柱当接面１７ａや横架材当接面１７ｂに一致させて、高精度な先行組み付けが行える。これにより、筋交い２１、柱１５、及び横架材３１と、連結板２９との相対位置が明確になり、それぞれの部材同士の高精度な位置決めが可能となる。
【００２６】
連結板２９は、筋交スリット２５に挿入された後、筋交い２１の外面より線条固定材３３が打ち込まれることで固定される。端部１７に連結板２９が取り付けられた筋交い２１は、図３（ｂ）に示すように、下部入隅部１９ａに形成した固定スリット２７に連結板２９が挿入される。固定スリット２７は、下部入隅部１９ａが組み上がった後に、丸鋸等を用いて形成する。連結板２９が円形状であるのは、丸鋸を使用して固定スリット２７を形成するためである。連結板２９は、固定スリット２７内の円形状に沿わして挿入することが可能となる。
【００２７】
図４（ａ）はシール貼着前の入隅部の斜視図、（ｂ）シール貼着後の入隅部の斜視図である。
次に、図４（ａ）に示すように、少なくとも横架材３１及び柱１５には、連結板２９の輪郭線３５で外形の一部分が形成されて線条固定材３３の打ち込み位置を示す表示手段３７の付されたシール３９が貼られる。後述する連結板２９を後付する場合には、シール３９が筋交い２１にも貼着されるようにしてもよい。シール３９を貼着した後、図４（ｂ）に示すように、線条固定材３３を、柱１５ａ、土台１１の外面から表示手段３７にて示される打ち込み位置に合せて打ち込む。内部に隠れる連結板２９の位置が、シール３９によって把握可能となり、かつこのシール３９に設けられた表示手段３７の位置に線条固定材３３が打ち込まれることで、線条固定材３３の打ち込み位置が最適となる。これにより、線条固定材３３を打つ箇所が容易に確認でき、施工性を向上させることができる。全ての線条固定材３３が打ち込まれたならシール３９は除去される。
【００２８】
下部入隅部１９ａに筋交い２１の端部１７が固定されたなら、横架材３１である梁１３が建て込まれる。梁１３の下面と柱１５ｂの交わる上部入隅部１９ｂ（図１参照）には固定スリット２７を形成する。筋交い２１の上部の端部１７には予め連結板２９を固定しておく。これにより、筋交い２１は、両端が連結板２９を介して上下の入隅部１９に固定されて、取付が完了する。
【００２９】
このように、木造建築物の筋交い構造では、筋交い２１の端部１７が入隅部１９に当接されると、端部１７に形成された筋交スリット２５と、入隅部１９に形成された固定スリット２７とが連続した一つの同一平面状となり、この連続スリット部分に連結板２９が挿入されることとなる。挿入された連結板２９には、横架材３１、柱１５、筋交い２１の外方から打ち込まれた線条固定材３３が貫通することで、これら３つの部材が連結板２９を介して一体に固定される。すなわち、筋交い２１の外形状に左右されない、別言すると、外形状に依存しない固定が可能となる。
【００３０】
図５は筋交いに丸太の使用された変形例の斜視図である。
上記のように、筋交い２１は、厚み方向の略中央部に筋交スリット２５が形成されるので、筋交い２１の外形状に左右されることがない。したがって、図例のような素材表面のままの丸太２１Ａを筋交いとして使用することも可能となる。
【００３１】
図６（ａ）は連結板を後入れする変形例に係る構造の分解斜視図、（ｂ）は連結板の後入れ方法を表す入隅部の側面図である。
上記実施の形態では、連結板２９を予め筋交い２１の端部１７に固定したが、連結板２９は筋交い２１の建て込み後に取り付けることも可能となる。この場合、筋交スリット２５Ａは、柱当接面１７ａや横架材当接面１７ｂから連結板２９が飛び出さない深さで形成しておく。これにより、図６（ａ）に示すように、筋交スリット２５Ａに連結板２９を装着したまま、筋交い２１を外方から平行移動させて下部入隅部１９ａ及び上部入隅部１９ｂへ同時に挿入することができる。下部入隅部１９ａ及び上部入隅部１９ｂには予め固定スリット２７を形成しておく。
【００３２】
このようにして入隅部１９に干渉しないように後退位置に退避させておいた連結板２９は、筋交い２１が建て込まれたなら、図６（ｂ）に示すように、入隅部１９へ接近する方向（矢印ａ方向）に移動させ、固定スリット２７に挿入する。この場合、横架材３１、柱１５、筋交い２１に予めシール３９を貼っておけば、連結板２９の位置決めを容易にできる。連結板２９の位置決めがなされたなら、上記同様に表示手段３７に合わせて線条固定材３３を打ち込んで筋交い２１の固定が完了する。
【００３３】
したがって、本実施の形態に係る木造建築物の筋交い構造によれば、筋交スリット２５と固定スリット２７に挿入した連結板２９を介して筋交い２１と入隅部１９が固定できるので、筋交い２１の形状についての限定がなくなり、筋交い２１の外形状、厚みや太さを変えることが可能になる。この結果、丸太のような材の他、整形していない材、間伐材など、外観や外形を仕上げていない安価な筋交いを使用できるようになる。
【００３４】
なお、上記の実施の形態では、連結板２９が円形状である場合を例に説明したが、本発明に係る木造建築物の筋交い構造は、連結板２９が円形状の他、矩形状や三角、五角、六角、八角形状等の多角形状、或いは楕円や扇形などであってもよい。
【符号の説明】
【００３５】
１１…下部横架材（土台）
１３…上部横架材（梁）
１５…柱
１７…端部
１９…入隅部
２１…筋交い
２５…筋交スリット
２７…固定スリット
２９…連結板
３１…横架材
３３…線条固定材
３５…輪郭線
３７…表示手段
３９…シール
４１…線状表示手段
【図１】
2011256553.tif 000003
【図２】
2011256553.tif 000004
【図３】
2011256553.tif 000005
【図４】
2011256553.tif 000006
【図５】
2011256553.tif 000007
【図６】
2011256553.tif 000008